(57)【特許請求の範囲】
【請求項１】
画像データ又は動画データに文字情報を付加して構成されたコンテンツを、通信ネットワークを通じて配信するコンテンツ配信システムであって、
前記画像データ又は動画データと、加工前コンテンツである前記画像データ又は動画データの一部とを蓄積し、各加工前コンテンツに対して文字情報を付加するための加工処理情報と、各画像データ又は動画データのストーリーの順番に関する情報を含む属性情報とを、各加工前コンテンツデータに関連付けて蓄積する素材データベースと、
ユーザー操作に基づいて、前記素材データベースから前記加工前コンテンツと前記加工処理情報とを選択して読み出すとともに、ユーザー操作により入力された文字情報を取得する文字情報取得部と、
選択された前記加工処理情報に基づいて、前記加工前コンテンツに対して文字情報を付加して前記コンテンツを生成するコンテンツ生成部と、
前記コンテンツ生成部によって生成されたコンテンツを、前記通信ネットワーク上に提示するコンテンツ提示部と
を備え、
前記加工処理情報には、前記加工前コンテンツ上における前記文字情報が付加可能な範囲を定める付加範囲情報が含まれ、
前記文字情報取得部は、前記ユーザー操作を取得するに際し、前記加工前コンテンツとともに、前記付加範囲情報を提示し、
前記コンテンツ生成部は、前記加工前コンテンツに対して文字情報を付加する際、当該加工前コンテンツに関連付けられた付加範囲情報を参照し、前記文字情報が付加可能な範囲に対して、前記文字情報を付加し、
前記コンテンツ提示部は、ユーザー操作に基づく要求に応じて、当該加工前コンテンツの前記属性情報を参照して、前後の画像データ又は動画データの一部を前記素材データベースから抽出してストーリー順序で提示する
ことを特徴とするコンテンツ配信システム。
【請求項２】
前記素材データベースにおいて各加工前コンテンツには、検索用のタグが付加されており、ユーザーが入力したキーワードと近似するタグを有するコンテンツを検索可能となっていることを特徴とする請求項１に記載のコンテンツ配信システム。
【請求項３】
多数のユーザーに付与された各ユーザーに固有の識別子と、当該ユーザーに関する情報データとを関連付けて蓄積し、前記各ユーザーの情報データに基づいて、当該ユーザーに固有のＷｅｂページを構築するとともに、構築された各ユーザーのＷｅｂページを、当該ユーザーの公開範囲設定、及び当該Ｗｅｂページに対してアクセスするユーザーのアクセス権限に応じて、配信するソーシャルネットワーク部をさらに備え、
前記コンテンツ提示部は、前記ソーシャルネットワーク部により配信される前記Ｗｅｂページ上に、前記コンテンツを提示する
ことを特徴とする請求項１又は２に記載のコンテンツ配信システム。
【請求項４】
前記画像データ、動画データ又は生成されたコンテンツに関連する商品の購入手続を受け付けるｅコマース部をさらに備え、
前記コンテンツ提示部では、前記画像データ、動画データ又は生成されたコンテンツに対するユーザーによる選択操作に基づいて、前記ｅコマース部による前記商品の購入手続の受付けを実行する
ことを特徴とする請求項１乃至３のいずれかに記載のコンテンツ配信システム。
【請求項５】
前記画像データ又は動画データは、イラストに台詞又は文章が付記されたコミックであり、前記文字情報は、前記コンテンツ生成部により、前記台詞又は文章に差し替えられるように、前記加工前コンテンツに付加される
ことを特徴とする請求項１乃至４のいずれかに記載のコンテンツ配信システム。
【請求項６】
画像データ又は動画データに文字情報を付加して構成されたコンテンツを、通信ネットワークを通じて配信するコンテンツ配信プログラムであって、コンピューターに、
前記画像データ又は動画データと、加工前コンテンツである前記画像データ又は動画データの一部とを素材データベースに蓄積するとともに、各加工前コンテンツに対して文字情報を付加するための加工処理情報と、各画像データ又は動画データのストーリーの順番に関する情報を含む属性情報とを、各加工前コンテンツデータに関連付ける素材蓄積ステップと、
ユーザー操作に基づいて、前記素材データベースから加工前コンテンツと前記加工処理情報とを選択して読み出すとともに、ユーザー操作により入力された文字情報を取得する文字情報取得ステップと、
選択された前記加工処理情報に基づいて、前記加工前コンテンツに対して文字情報を付加して前記コンテンツを生成するコンテンツ生成ステップと、
前記コンテンツ生成ステップによって生成されたコンテンツを、前記通信ネットワーク上に提示するコンテンツ提示ステップと
を含む処理を実行させるとともに、
前記加工処理情報には、前記加工前コンテンツ上における前記文字情報が付加可能な範囲を定める付加範囲情報が含まれ、
前記文字情報取得ステップでは、前記ユーザー操作を取得するに際し、前記加工前コンテンツとともに、前記付加範囲情報を提示し、
前記コンテンツ生成ステップでは、前記加工前コンテンツに対して文字情報を付加する際、当該加工前コンテンツに関連付けられた付加範囲情報を参照し、前記文字情報が付加可能な範囲に対して、前記文字情報を付加し、
前記コンテンツ提示ステップでは、ユーザー操作に基づく要求に応じて、当該加工前コンテンツの前記属性情報を参照して、前後の画像データ又は動画データの一部を前記素材データベースから抽出してストーリー順序で提示する処理を実行させる
ことを特徴とするコンテンツ配信プログラム。
【請求項７】
前記素材データベースにおいて各加工前コンテンツには、検索用のタグが付加されており、ユーザーが入力したキーワードと近似するタグを有するコンテンツを検索可能となっていることを特徴とする請求項６に記載のコンテンツ配信プログラム。
【請求項８】
多数のユーザーに付与された各ユーザーに固有の識別子と、当該ユーザーに関する情報データとを関連付けて蓄積し、前記各ユーザーの情報データに基づいて、当該ユーザーに固有のＷｅｂページを構築するとともに、構築された各ユーザーのＷｅｂページを、当該ユーザーの公開範囲設定、及び当該Ｗｅｂページに対してアクセスするユーザーのアクセス権限に応じて、配信するソーシャルネットワークステップをさらに有し、
前記コンテンツ提示ステップでは、前記ソーシャルネットワークステップにより配信される前記Ｗｅｂページ上に、前記コンテンツを提示する
ことを特徴とする請求項６又は７に記載のコンテンツ配信プログラム。
【請求項９】
前記画像データ、動画データ又は生成されたコンテンツに関連する商品の購入手続を受け付けるｅコマースステップをさらに備え、
前記コンテンツ提示ステップでは、前記画像データ、動画データ又は生成されたコンテンツに対するユーザーによる選択操作に基づいて、前記ｅコマースステップによる前記商品の購入手続の受付けを実行する
ことを特徴とする請求項６乃至８のいずれかに記載のコンテンツ配信プログラム。
【請求項１０】
前記画像データ又は動画データは、イラストに台詞又は文章が付記されたコミックであり、前記文字情報は、前記コンテンツ生成ステップにおいて、前記台詞又は文章に差し替えられるように、前記加工前コンテンツに付加される
ことを特徴とする請求項６乃至９のいずれかに記載のコンテンツ配信プログラム。
【発明の詳細な説明】
【技術分野】
【０００１】
本発明は、コミックや絵本、イラストなどの画像データ又は動画データに、任意の文字情報を付加して構成されたコンテンツを、インターネットなどの通信ネットワークを通じて配信するコンテンツ配信システム及びコンテンツ配信プログラムに関する。
【背景技術】
【０００２】
近年、インターネットにおけるＷｅｂページや電子メールを介した通信の多様化が進み、写真やイラスト、映画などの画像・動画データに、メッセージを添えて、Ｗｅｂページや電子メールを介して相手に送るようなコミュニケーション手法も普及してきている。例えば、ソーシャルネットワークのように、ユーザーに固有のＷｅｂページを付与するとともに、各Ｗｅｂページの公開範囲と、各ユーザーのアクセス権限とを設定し、ユーザー間相互の関係性に応じて、各ユーザーが情報の交換を行えるシステムが広く普及している（例えば、特許文献１）。
【０００３】
このようなＷｅｂページや電子メールを介して、情報を交換する場合に、著名なコミックなどの一コマや、映画・ドラマのワンシーンを引用したいという要望がある。例えば、コミックの有名な場面や、ドラマのワンシーンに、ユーザー独自の台詞や解説を添えて、著作物が本来的に有する世界観や、それに対する独自の解釈を背景としたメッセージを送ることができ、メッセージの表現力や訴求力を向上させることができる。
【先行技術文献】
【特許文献】
【０００４】
【特許文献１】特開２００６−１９８０２３号公報
【発明の概要】
【発明が解決しようとする課題】
【０００５】
しかしながら、上述のようなコミックの一コマや、映画・ドラマのワンシーンは著作物であり、著者に無断で改変するこはは
許されるべきではない。その一方で、著者によっては、一定の限度で改変を許可して、著作物の二次的な利用を認めてもよいはす
る者もいる。このため、著者の意向と、著作物を利用するユーザーの利便性の両方を、容易に調整できるシステムやサービスの開発が望まれている。
【０００６】
そこで、本発明は、上記のような問題を解決するものであり、コミックの一コマや映画・ドラマのワンシーンの画像等の利用を可能とし、コミュニケーション手法の多様化を図る一方で、著者の意向を反映させた改変の限度を自由に設定できるコンテンツ配信システム及びコンテンツ配信プログラムを提供することを目的とする。
【課題を解決するための手段】
【０００７】
上記課題を解決するために、本発明は、画像データ又は動画データに文字情報を付加して構成されたコンテンツを、通信ネットワークを通じて配信するコンテンツ配信システムであって、
画像データ又は動画データと、加工前コンテンツである画像データ又は動画データの一部とを蓄積し、各加工前コンテンツに対して文字情報を付加するための加工処理情報と、各画像データ又は動画データのストーリーの順番に関する情報を含む属性情報とを、各加工前コンテンツデータに関連付けて蓄積する素材データベースと、
ユーザー操作に基づいて、素材データベースから加工前コンテンツと加工処理情報とを選択して読み出すとともに、ユーザー操作により入力された文字情報を取得する文字情報取得部と、
選択された加工処理情報に基づいて、加工前コンテンツに対して文字情報を付加してコンテンツを生成するコンテンツ生成部と、
コンテンツ生成部によって生成されたコンテンツを、通信ネットワーク上に提示するコンテンツ提示部と
を備える。
【０００８】
このような本発明によれば、コミックの有名な場面や、ドラマのワンシーンなどである加工前コンテンツに文字情報が入力可能であるため、ユーザー独自の台詞や解説を添えて、著作物が本来的に有する世界観や、それに対する独自の解釈を背景としたメッセージを送ることができる。その結果、メッセージの表現力や訴求力を向上させることができ、コミュニケーション手法の多様化を図ることができる。
この際、加工前コンテンツには加工処理情報が関係づけられ、この加工処理情報に基づいて、著作物の改変を制御しているので、著者の意向を反映させた著作物の二次的利用を実現することができる。
このように本発明によれば、著者の意向と、著作物を利用するユーザーの利便性の両方を容易に調整し得るサービスを提供できる。
【０００９】
特に、上記発明における加工処理情報には、加工前コンテンツ上における文字情報が付加可能な範囲を定める付加範囲情報が含まれ、文字情報取得部は、ユーザー操作を取得するに際し、加工前コンテンツとともに、付加範囲情報を提示し、コンテンツ生成部は、加工前コンテンツに対して文字情報を付加する際、当該加工前コンテンツに関連付けられた付加範囲情報を参照し、文字情報が付加可能な範囲に対して、文字情報を付加する。
【００１０】
このような発明によれば、例えば、コミックなどの１コマに含まれる、ふきだし部分を付加範囲情報として設定することで、その画像の一コマ内にメッセージを入力することができるので、著作物が本来的に有する世界観を改変しすぎることなく、本来的に有する世界観に対する独自の解釈を背景としたメッセージを送ることができるので、著者の意向と、著作物を利用するユーザーの利便性の両方を容易に調整し得る。
また、上記発明において、コンテンツ提示部は、ユーザー操作に基づく要求に応じて、当該加工前コンテンツの前記属性情報を参照して、前後の加工前コンテンツの一部を前記素材データベースから抽出してストーリー順序で提示する。
このような発明によれば、利用者側にとっては、表示されたコミックの一コマや映画・ドラマのワンシーンの続きを閲覧したい場合に即時に閲覧することができるとともに、画像データ及び動画データを提供する著作者側としては、自己の著作物を知らないユーザーに対して広めることができる。
【００１１】
上記発明において、多数のユーザーに付与された各ユーザーに固有の識別子と、当該ユーザーに関する情報データとを関連付けて蓄積し、各ユーザーの情報データに基づいて、当該ユーザーに固有のＷｅｂページを構築するとともに、構築された各ユーザーのＷｅｂページを、当該ユーザーの公開範囲設定、及び当該Ｗｅｂページに対してアクセスするユーザーのアクセス権限に応じて、配信するソーシャルネットワーク部をさらに備え、コンテンツ提示部は、ソーシャルネットワーク部により配信されるＷｅｂページ上に、コンテンツを提示することが好ましい。
【００１２】
このような発明によれば、ソーサシャルネットワークシステム等におけるユーザーに固有のＷｅｂページ上において、コミックの一コマや映画・ドラマのワンシーンなどの画像データ又は動画データに文字情報を付加して提示することができるので、コミュニケーション手法の多様化を図ることができる。
【００１３】
上記発明の素材データベースにおいて各加工前コンテンツには、検索用のタグが付加されており、ユーザーが入力したキーワードと近似するタグを有するコンテンツを検索可能となっていることが好ましい。。
【００１４】
上記発明において、画像データ、動画データ又は生成されたコンテンツに関連する商品の購入手続を受け付けるｅコマース部をさらに備え、コンテンツ提示部では、画像データ、動画データ又は生成されたコンテンツに対するユーザーによる選択操作に基づいて、ｅコマース部による商品の購入手続の受付けを実行することが好ましい。
このような発明によれば、著作物である画像データ、動画データを電子商取引を用いて購入可能となるので、商品購入の利便性を向上させることができる。
【００１５】
上記発明において、画像データ又は動画データは、イラストに台詞又は文章が付記されたコミックであり、文字情報は、コンテンツ生成部により、台詞又は文章に差し替えられるように、加工前コンテンツに付加されることが好ましい。
このような発明によれば、コミックのふきだし部分の台詞を差し替えた画像データが提示されるので、コミックに対する著作物が本来的に有する世界観や、それに対する独自の解釈を背景としたメッセージを送ることができ、コミュニケーション手法の多様化を図ることができる。
【００１６】
また、他の発明は、画像データ又は動画データに文字情報を付加して構成されたコンテンツを、通信ネットワークを通じて配信するコンテンツ配信プログラムであって、コンピューターに、
画像データ又は動画データと、加工前コンテンツである画像データ又は動画データの一部とを素材データベースに蓄積するとともに、各加工前コンテンツに対して文字情報を付加するための加工処理情報と、各画像データ又は動画データのストーリーの順番に関する情報を含む属性情報とを、各加工前コンテンツデータに関連付ける素材蓄積ステップと、
ユーザー操作に基づいて、素材データベースから加工前コンテンツと加工処理情報とを選択して読み出すとともに、ユーザー操作により入力された文字情報を取得する文字情報取得ステップと、
選択された加工処理情報に基づいて、加工前コンテンツに対して文字情報を付加してコンテンツを生成するコンテンツ生成ステップと、
コンテンツ生成ステップによって生成されたコンテンツを、通信ネットワーク上に提示するコンテンツ提示ステップと
を含む処理を実行させるとともに、
前記加工処理情報には、前記加工前コンテンツ上における前記文字情報が付加可能な範囲を定める付加範囲情報が含まれ、
前記文字情報取得ステップでは、前記ユーザー操作を取得するに際し、前記加工前コンテンツとともに、前記付加範囲情報を提示し、
前記コンテンツ生成ステップでは、前記加工前コンテンツに対して文字情報を付加する際、当該加工前コンテンツに関連付けられた付加範囲情報を参照し、前記文字情報が付加可能な範囲に対して、前記文字情報を付加し、
前記コンテンツ提示ステップでは、ユーザー操作に基づく要求に応じて、当該加工前コンテンツの前記属性情報を参照して、前後の画像データ又は動画データの一部を前記素材データベースから抽出してストーリー順序で提示する処理を実行させる
ことを特徴とする。
【００１７】
このような発明によれば、コンテンツ配信プログラムを使用することで、特別な処理装置を必要とせず、種々の情報処理装置を上述したコンテンツ配信装置とし、コンテンツ配信方法を様々な情報処理装置において実現することができる。すなわち、このコンテンツ配信プログラムを、汎用的なコンピューターやＩＣチップにインストールし、ＣＰＵ上で実行することにより、上述した各機能を有するコンテンツ配信装置が構成され、コンテンツ配信方法を容易に構築することができる。
【００１８】
なお、このプログラムは、例えば、通信回線を通じて配布することが可能であり、またスタンドアローンの計算機上で動作するパッケージアプリケーションとして譲渡することができる。そして、このようなコンテンツ配信プログラムは、コンピューターで読み取り可能な記録媒体に記録することができ、汎用のコンピューターや専用コンピューターを用いて、上述したシステムや方法を実施することが可能となるとともに、プログラムの保存、運搬及びインストールを容易に行うことができる。
【発明の効果】
【００１９】
以上述べたように、この発明によれば、コミックの一コマや映画・ドラマのワンシーンの画像等の利用を可能にし、著作物が本来的に有する世界観や、それに対する独自の解釈を背景としたメッセージを送ることができ、メッセージの表現力や訴求力を向上させるとともに、コミュニケーション手法の多様化を図ることができる。その一方で、著作物を改編できる範囲を自由に設定できるようにすることで、著者の意向を反映させた著作物の二次的利用を実現することができ、著者の意向と、著作物を利用するユーザーの利便性の両方を容易に調整し得るサービスを提供できる。
【図面の簡単な説明】
【００２０】
【図１】実施形態に係る評価操作装置を示す斜視図である。
【図２】実施形態に係るコンテンツ配信サーバーの内部構成を示すブロック図である。
【図３】実施形態に係るソーシャルネットワークサーバーの内部構成を示すブロック図である。
【図４】実施形態に係るユーザー端末装置の内部構成を示すブロック図である。
【図５】実施形態に係るｅコマースサーバーの内部構成を示すブロック図である。
【図６】実施形態に係るユーザー端末装置の表示画面に表示されるウインドウを示す説明図である。
【図７】（ａ）及び（ｂ）は、実施形態に係るユーザーインターフェースの表示情報を生成する状態を示す説明図である。
【図８】実施形態に係るユーザー端末装置の表示画面に表示されるウインドウを示す説明図である。
【図９】実施形態に係るユーザー端末装置の表示画面に表示されるウインドウを示す説明図である。
【図１０】実施形態に係るユーザー端末装置の表示画面に表示されるウインドウを示す説明図である。
【図１１】実施形態に係るソーシャルネットワークシステムの動作を示すフローチャート図である。
【発明を実施するための形態】
【００２１】
以下に添付図面を参照して、本発明に係るシステムの実施形態を詳細に説明する。図１は、本実施形態に係るシステムの全体構成を示す概念図である。
図１に示すように、本発明に係るコンテンツ配信システムは、画像データ又は動画データに文字情報を付加して構成されたコンテンツを、通信ネットワークを通じて配信するシステムであって、通信ネットワーク５上に配置されたソーシャルネットワークサーバー３と、ユーザー端末１（１ａ〜１ｃ）と、コンテンツ配信サーバー４と、ｅコマースサーバー２とを備えている。
【００２２】
通信ネットワーク５は、インターネットなど通信プロトコルＴＣＰ／ＩＰを用いたＩＰ網であって、種々の通信回線（電話回線やＩＳＤＮ回線、ＡＤＳＬ回線、光回線などの公衆回線、専用回線、無線通信網）を相互に接続して構築される分散型の通信ネットワークである。この通信ネットワーク５には、１０ＢＡＳＥ−Ｔや１００ＢＡＳＥ−ＴＸ等によるイントラネット（企業内ネットワーク）や家庭内ネットワークなどのＬＡＮなども含まれる。
【００２３】
ユーザー端末１（１ａ〜１ｃ）は、ＣＰＵによる演算処理機能、及び通信インターフェースによる通信処理機能を備えた情報処理端末であり、例えば、スマートフォン等の携帯電話端末の他、パーソナルコンピュータ等の汎用コンピューターや、機能を特化させた専用装置、モバイルコンピューターやＰＤＡ（Ｐｅｒｓｏｎａｌ  Ｄｉｇｉｔａｌ  Ａｓｓｉｓｔａｎｃｅ）で実現することができる。なお、図１に示す例では、１ｃはパーソナルコンピュータ等の汎用コンピューターであり、１ｂは移動電話であり、１ａは移動電話や携帯情報端末（ＰＤＡ）の機能を備える携帯情報端末である。
【００２４】
このユーザー端末１ａ、１ｂは、無線基地局６との間で無線通信を行う機能と、アプリケーションを実行する機能とを備えている。この携帯電話機の通信方式としては、例えば、ＦＤＭＡ方式、ＴＤＭＡ方式、ＣＤＭＡ方式、Ｗ−ＣＤＭＡの他、ＰＨＳ（Ｐｅｒｓｏｎａｌ  Ｈａｎｄｙｐｈｏｎｅ  Ｓｙｓｔｅｍ）方式等が挙げられる。また、上述した通信方式とは別の無線通信インターフェースとして、無線ＬＡＮの規格等に準じたＩＰパケットの送受による通信方式に対応した機能も備えている。さらに、このユーザー端末１ａ、１ｂには、デジタルカメラ機能、アプリケーションソフトの実行機能、或いはＧＰＳ機能等の機能が搭載されている。
【００２５】
無線基地局６は、中継装置７を通じて通信ネットワーク５に接続され、ユーザー端末１ａ，１ｂとの間で無線通信接続を確立し、ユーザー端末１ａ，１ｂによる通話やデータ通信を提供する装置である。中継装置７は、通信ネットワーク５に接続するためのモデムやターミナルアダプタ、ゲートウェイ装置等のノード装置であり、通信経路の選択や、データ（信号）の相互変換を行い、無線基地局６と、通信ネットワーク５との間における中継処理を行う。なお、これら無線基地局６や中継装置７としては、無線ルーターやアクセスポイント装置なども含まれる。
【００２６】
ソーシャルネットワークサーバー３及びコンテンツ配信サーバー４は、通信ネットワーク５上に分散配置された一般的な通信サーバーであり、ＷＷＷ（Ｗｏｒｌｄ  Ｗｉｄｅ  Ｗｅｂ）等のドキュメントシステムにおいて、ＨＴＭＬ（ＨｙｐｅｒＴｅｘｔ  Ｍａｒｋｕｐ  Ｌａｎｇｕａｇｅ）ファイルや画像ファイル、音楽ファイルなどの情報送信を行うサーバーコンピューター或いはその機能を持ったソフトウェアであり、ＨＴＭＬ文書や画像などの情報を蓄積しておき、ユーザー端末１上で実行されるＷｅｂブラウザなどのアプリケーションの要求に応じて、コンテンツ（Ｗｅｂページ）の配信を行う。
特に、本実施形態において、コンテンツ配信サーバー４には、各著者の意向で著作物の二次的な利用を認められた画像データ又は動画データ等のコンテンツが蓄積され、各コンテンツの各シーン部分を配信している。
【００２７】
一方、ソーシャルネットワークサーバー３は、ＳＮＳサービスを提供するためのサーバーアプリケーションを運用するサーバーコンピューター、或いはその機能を持ったソフトウェアであり、ＳＮＳを通じて、各コンテンツに関連付けられたアクセス規制に従ってアクセスを制限しつつ、コンテンツをユーザー間で共有させるサービスを提供する。
【００２８】
ｅコマースサーバー２は、コンテンツ配信サーバー４から配信されるコンテンツに関連する商品の購入手続を受け付けるサーバーコンピューター、或いはその機能を持ったソフトウェアであり、例えば、コンテンツ配信サーバー４から配信されたコンテンツに貼られたリンク情報によって、アクセス可能となっている。そして、ｅコマースサーバー２において、配信された１コマ部分のコンテンツに対する、前後ストーリーを含む電子コンテンツの配信や、コンテンツに関連する書籍の販売を行う。
【００２９】
（各装置の内部構造）
次いで、上述したコンテンツ配信システムを構成する各装置の内部構造について説明する。図２は、本実施形態に係るソーシャルネットワークサーバー３の内部構成を示すブロック図であり、図３は、本実施形態に係るコンテンツ配信サーバーの内部構成を示すブロック図である。また、図４は、本実施形態に係るユーザー端末装置の内部構成を示すブロック図であり、図５は、本実施形態に係るｅコマースサーバー２の内部構成を示すブロック図である。
【００３０】
さらに、図６は、実施形態に係るユーザー端末装置の表示画面に表示されるウインドウを示す説明図であり、図７（ａ）及び（ｂ）は、実施形態に係るユーザーインターフェースの表示情報を生成する状態を示す説明図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００３１】
（１）ソーシャルネットワークサーバー３の構成
コンテンツ配信サーバー４は、図２に示すように、通信インターフェース３１と、Ｗｅｂデータ配信部３６と、顧客データベース３４と、Ｗｅｂデータベース３５と、認証部３３とを備えている。
【００３２】
通信インターフェース３１は、データ通信を行うための通信インターフェースであり、無線等による非接触通信や、ケーブル、アダプタ手段等により接触（有線）通信をする機能を備えている。本実施形態において、通信インターフェース３１は、認証情報やユーザーからの操作信号等を受信するとともに、Ｗｅｂデータ（Ｗｅｂページ）等を配信する。この通信インターフェース３１により受信された認証情報については、認証部３３へ送信され、Ｗｅｂデータを要求する操作信号は、Ｗｅｂデータ配信部３６へ送信する。
【００３３】
顧客データベース３４は、多数のユーザーに付与された各ユーザーに固有の識別子と、ユーザーに関する情報データとを関連付けて蓄積する記憶装置である。ユーザーに固有の識別子とは、例えば、ＩＤ及びパスワード等であり、ユーザーに関する情報には、ＳＮＳサービスに登録された、ＩＤ、パスワード、及び宛先アドレス、認証情報、決済情報、及びコンテンツのアクセス規制に関する情報及びコンテンツの公開条件（アクセス範囲）が含まれている。
【００３４】
Ｗｅｂデータベース３５は、各ユーザーの写真ファイルや動画ファイルなどのコンテンツを、そのコンテンツのアクセス規制に関する情報及び当該ユーザーを特定する識別子と関連付けて蓄積するデータベースである。そして、これらの顧客データベース３４及びＷｅｂデータベース３５は、リレーションにより相互に関連付けられており、様々なデータの集計や抽出が可能となっている。
【００３５】
認証部３３は、ＩＤ及びパスワード等の情報を取得し、顧客データベース３４を照合して、アクセス者にその権利があるか否かや、そのアクセス者が本人であるか否かなどを確認するモジュールである。
【００３６】
Ｗｅｂデータ配信部３６は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって演算処理を行うモジュールであり、本実施形態においては、顧客データベース３４及びＷｅｂデータベース３５を参照して、各ユーザーの情報データに基づいて、各ユーザーのＷｅｂページを配信する。
特に、Ｗｅｂデータ配信部３６は、顧客データベース３４に基づいて、ユーザーの公開範囲設定、及びＷｅｂページに対してアクセスするユーザーのアクセス権限に応じて、図６に示すように、ユーザーに固有のＷｅｂページを構築して配信する。
【００３７】
また、Ｗｅｂデータ配信部３６は、コンテンツ配信サーバー４から送信されたコンテンツをＷｅｂページ上で合わせて表示させるようになっており、本実施形態では、図７（ａ）に示すように、ソーシャルネットワーク側の情報を表示させない非表示領域２０２を有するＷｅｂページ２００を配信するようになっている。
【００３８】
（２）コンテンツ配信サーバー４
次いで、コンテンツ配信サーバー４の内部構成について説明する。図８及び図９は、本実施形態に係るユーザー端末装置の表示画面に表示されるウインドウを示す説明図である。
同図に示すように、コンテンツ配信サーバー４は、素材データベース４６と、通信インターフェース４１と、顧客データベース４３と、制御部４２とを備えている。
【００３９】
通信インターフェース４１は、データ通信を行うための通信インターフェースであり、本実施形態では、画像データ又は動画データ等の各種データを送信し、認証データ、操作信号等を受信する。
【００４０】
顧客データベース４３は、各ユーザーに関する個人情報、認証情報、利用履歴及び決済情報を記憶したり、画像データ及び動画データの著者に対する氏名、住所等の個人情報等を蓄積したりする記憶装置である。
【００４１】
素材データベース４６は、画像データ又は動画データ等のコンテンツを蓄積する記憶装置である。ここで、これらのコンテンツは、各著者の意向で著作物の二次的な利用を認められたデータである。本実施形態において、動画データとしては、例えば、映画・ドラマのワンシーンが含まれる。また、画像データとしては、例えば、動画データの字幕を含む静止画であったり、図８に示すように、イラスト３０４内に作品内の台詞又は文章が付記された、ふきだし部分３０５を有するコミックの一コマを表す画像が含まれる。
すなわち、素材データベース４６には、このような、著作物に改変を行っていない状態のコンテンツ（以下、加工前コンテンツと称する）が蓄積されている。
【００４２】
また、加工前コンテンツには、文字情報を付加するための加工処理情報が関連付けられている。本実施形態において、この加工処理情報とは、ユーザーが入力した文字情報を、コンテンツ内に付加できる範囲を定めた付加範囲情報を有しており、具体的には、図８に示すように、１コマ中のふきだし部分３０５を定める位置情報となっている。また、加工処理情報には、付加範囲における文字数の制限を定めた情報についても有している。
【００４３】
なお、これらのコンテンツには、作品名、著者名などの属性情報を有しており、例えば、作品や、著者毎にコンテンツを分類することもできる。また、同一作品の各コンテンツは、ストーリーの順番に関する情報も有しており、ストーリー順序で表示させることが可能となっている。さらに、各コンテンツには、検索用のタグが付加されており、ユーザーが入力したキーワードと近似するタグを有するコンテンツを検索可能となっている。
【００４４】
ここで、各コンテンツに付されたタグとしては、例えば、「喜び」、「悲しみ」、「愛」、「脅し」、「驚き」、「叫び」、「告白」、「脅迫」、「友情」、及び「励まし」などのタグがある。また、気持ちを示すタグとして、例えば、「愛したい」、「頑張りたい」、  「楽しみたい」、又は「安らぎたい」などのカテゴリーのタグを設けてもよい。
さらに、このカテゴリー内には、細かな設定が可能であり、例えば、「愛したい」のカテゴリー内には、「付き合いたい」、「仲直りしたい」、「会いたい」、「告白したい」、「大切にしたい」、「愛したい」、「手伝いたい」、「抱き締めたい」、「支えたい」、「甘えたい」、「結婚したい」、「育てたい」、「贈りたい」、又は「飼いたい」など細かく設定が可能となっている。
【００４５】
また、例えば、「頑張りたい」のカテゴリー内には、例えば、「上達したい」、「働きたい」、「克服したい」、「勝ちたい」、「勝負したい」、「合格したい」、「増やしたい」、「変わりたい」、「学びたい」、「実現したい」、「就職したい」、「建てたい」、「成功したい」、「打ちたい」、「挑戦したい」、「教えたい」、「整理したい」、「活用したい」、「活躍したい」、「痩せたい」、「直したい」、「禁煙したい」、「稼ぎたい、「節約したい」、「解消したい」、「貢献したい」、「起きたい」、「転職したい」、「通いたい」、「達成したい」、「鍛えたい」、又は「頑張りたい」など細かく設定が可能となっている。
【００４６】
さらに、例えば、「楽しみたい」のカテゴリー内には、「おしゃれしたい」、「お出かけしたい」、「乗りたい」、「乾杯したい」、「住みたい」、「体験したい」、「作りたい」、「参加したい」、「収集したい」、「味わいたい」、「堪能したい」、「引越したい」、「当てたい」、「応募したい」、「応援したい」、「感動したい」、「披露したい」、「描きたい」、「撮りたい」、「散歩したい」、「料理したい」、「旅したい」、「植えたい」、「歌いたい」、「泳ぎたい」、「満喫したい」、「演奏したい」、「登りたい」、「着たい」、「編みたい」、「習いたい」、「聴きたい」、「観たい」、「観戦したい」、「訪れたい」、「読みたい」、「買いたい」、「贅沢したい」、「走りたい」、「踊りたい」、「遊びたい」、「運動したい」、「選びたい、「釣りたい」、「食べたい」、「飲みたい」、又は「飾りたい」など細かく設定が可能となっている。
さらに、例えば、「安らぎたい」のカテゴリー内には、「休みたい」、「吸いたい」、「安心したい」、「寛ぎたい」、「息抜きしたい」、「暖まりたい」、「涼みたい」、「癒したい」、又は「眠りたい」など細かく設定が可能となっている。
【００４７】
このようなタグを付されたコンテンツは、ユーザーの検索キーワードに応じて、図９に示すように、サムネイル画像３０７として表示可能となっており、素材データベース４６には、これらのサムネイル画像が蓄積されている。
【００４８】
制御部４２は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって演算処理を行うモジュールであり、本実施形態では、認証部４４と、コンテンツ提示部４５と、コンテンツ生成部４７と、文字情報取得部４８とを有している。
【００４９】
認証部４４は、通信インターフェース４１が受信した認証情報に基づいて、顧客データベース４３内のユーザー情報と照合して、認証処理を実行するモジュールである。なお、本実施形態では、ソーシャルネットワークサーバーにおける、認証情報と連携され、ソーシャルネットワークサーバー３からのリンクからのアクセスに対しては、新たにＩＤ及びパスワード等を入力せずに認証処理することもできる。
【００５０】
文字情報取得部４８は、ユーザー操作の選択情報に基づいて、素材データベース４６から加工前コンテンツと加工処理情報とを選択して読み出すとともに、ユーザー操作により入力された文字情報を取得するモジュールである。
具体的に、文字情報取得部４８は、先ず、ユーザーが入力した検索キーワードを取得して、このキーワードに関連のあるコンテンツを複数選択する。そして、選択された、コンテンツのサムネイル画像をユーザー端末１へ配信する。この配信されたサムネイル画像３０７は、図７（ａ）に示すように、コンテンツ配信サーバー４が配信するＷｅｂページ３００上の表示領域３０２に配置させている。
【００５１】
ここで、表示領域３０２は、Ｗｅｂページ２００上の非表示領域２０２と重なる領域となっている。これにより、図７（ｂ）に示すように、ユーザー端末のブラウザ部によって、Ｗｅｂページ２００の後面に、Ｗｅｂページ３００が配置されることで、図９に示すように、Ｗｅｂページ２００上から表示領域３０２が表示される。
【００５２】
その後、文字情報取得部４８は、サムネイル画像中から選択された加工前コンテンツの選択信号を、ユーザー端末１から受信する。そして、文字情報取得部４８は、この操作信号に応じて、当該加工前コンテンツと加工処理情報とを、素材データベース４６から読み出して、文字情報の入力を受け付けるＷｅｂページ３００を生成する。
【００５３】
このＷｅｂページ３００についても、Ｗｅｂページ３００上の表示領域３０２に、加工前コンテンツと加工処理情報とに基づいた画像を配置させており、ユーザー端末１の画面上には、図１０に示すように、加工前コンテンツのイラスト３０４と、付加範囲情報であるふきだし部分３０５と、文字情報の入力を受け付けるコメント欄３０６とが表示されるようになっている。
【００５４】
その後、ユーザー操作によって、コメント欄３０６に文字情報が入力されると、文字情報取得部４８は、この文字情報を通信インターフェース４１を介して取得する。
なお、画像情報取得部４８は、取得した文字情報の受け付けを拒否する機能も備えている。具体的には、素材データベース４６内に、過度の暴力的表現や、性的表現などの禁止言語を蓄積しており、受付した文字情報がこれらの禁止言語であるか否かを判断するようになっている。なお、禁止言語については、投稿後であっても、不適切な文章がある場合には、警告できるようになっており、その警告により、コンテンツを削除される。
【００５５】
コンテンツ生成部４７は、選択された加工処理情報に基づいて、加工前コンテンツに対して文字情報を付加して、加工後コンテンツを生成するモジュールである。具体的に、コンテンツ生成部４７は、付加範囲情報を参照して、ふきだし部分３０５を決定し、コメント欄３０６に入力された文字情報を、台詞又は文章に差し替えるように付加する。そして、生成した加工後のコンテンツをコンテンツ提示部４５に送出する。
【００５６】
コンテンツ提示部４５は、生成された加工後コンテンツをユーザー端末１にＷｅｂページとして提示するモジュールである。この場合においても、コンテンツ提示部４５は、表示領域３０２に加工後コンテンツを配置させることで、ユーザー端末１では、図８に示すように、表示領域３０２において、加工後コンテンツのイラスト３０４と、ユーザーが入力した文字情報がふきだし部分３０５とが表示される。
【００５７】
また、コンテンツ提示部４５は、ユーザー操作に基づく要求に応じて、加工前コンテンツ又は加工後コンテンツに対する、他の部分又は全部を提示する機能を備えている。具体的には、ユーザーがコンテンツを選択して、その前後のストーリーを閲覧する処理を実行した場合に、選択されたコンテンツの属性情報を参照して、前後のコンテンツを素材データベース４６から抽出し、Ｗｅｂページ３００上における表示領域３０２に表示させる。
また、ユーザーが、表示された１コマのコンテンツに対して、全部を閲覧する選択を実行した場合には、選択されたコンテンツを初めから１コマずつ順番に表示させる。
【００５８】
また、コンテンツ提示部４５では、加工前コンテンツ又は加工後コンテンツに対するユーザー操作に基づいて、ｅコマースサーバー２による、商品の購入手続の受け付けを実行する機能を備えている。具体的に、コンテンツには、オリジナルサイトへのリンク情報が設定されており、ユーザー操作によって、ｅコマースサーバー２のページへアクセスが要求されると商品の購入画面を表示領域３０２に表示させる。そして、この購入画面上において、購入手続を受け付ける。
なお、他のユーザーが、自己が提示したコンテンツに対してアクセスして、コンテンツに関連する商品を購入した場合には、コンテンツを提示したユーザーに対して報酬を支払う構成としてもよい。
【００５９】
（３）ユーザー端末１の構成
ユーザー端末１の構成には、図４に示すように、通信インターフェース１１と、データ取得部１２と、アプリケーション実行部１５と、出力インターフェース１６と、入力インターフェース１４と、表示部１７とを備えている。
【００６０】
通信インターフェース１１は、データ通信を行うための通信インターフェースであり、本実施形態においては、通信インターフェース１１は、通信ネットワーク５を通じて、コンテンツ配信サーバー４から加工前コンテンツや、加工後コンテンツを受信したり、ソーシャルネットワークサーバー３から、ソーシャルネットワークのＷｅｂページを受信したりする。
【００６１】
データ取得部１２は、通信インターフェース１１が受信した、Ｗｅｂページ、加工前コンテンツ、又は加工後コンテンツを受け取り、アプリケーション実行部１５のブラウザ部１５ａに送出するモジュールである。
【００６２】
入力インターフェース１４は、操作ボタンやタッチパネル、ジョグダイヤルなどユーザー操作を入力するデバイスであり、出力インターフェース１６は、ディスプレイやスピーカーなど、映像や音響を出力するデバイスである。特に、この出力インターフェース１６には、液晶ディスプレイなどの表示部１７が含まれており、アプリケーションにより構築されるＧＵＩ（Ｇｒａｐｈｉｃａｌ  Ｕｓｅｒ  Ｉｎｔｅｒｆａｃｅ）がこの表示部１７に表示される。
【００６３】
アプリケーション実行部１５は、一般のＯＳやブラウザソフト、ワープロソフトなどのオフィスソフト、画像表示ソフトなどのアプリケーションを実行するモジュールであり、通常はＣＰＵ等により実現される。このアプリケーション実行部１５でアプリケーションを実行することにより、ブラウザ部１５ａが構成される。
【００６４】
ブラウザ部１５ａは、ブラウザソフトを実行することによって構築され、Ｗｅｂページを閲覧するためのモジュールであり、インターネットからＨＴＭＬ（ＨｙｐｅｒＴｅｘｔ  Ｍａｒｋｕｐ  Ｌａｎｇｕａｇｅ）ファイルや画像ファイルなどをダウンロードし、レイアウトを解析して表示・再生する。また、ブラウザ部１５ａには、ＧＵＩ制御部１５ｂが備えられている。ＧＵＩ制御部１５ｂは、ユーザーとの間で対話形式により、ユーザー操作を促すモジュールであり、ユーザーに対する画面表示と、その画面上におけるクリック操作や文字入力などを受け付ける。
【００６５】
本実施形態においては、図６に示すように、ブラウザ部１５ａにより、表示部１７のウインドウ１８に、ユーザー固有のマイページであるグラフィックユーザーインターフェースが構築され、画面上に表示される。このユーザー固有の画面上には、例えば、各ユーザー固有の情報を示す項目２１２や、友人として登録されたメンバーから投稿された記事を表示する項目２１０が表示され、その投稿記事に対する評価を示す「いいね」アイコン２１１等も表示される。
【００６６】
また、ＧＵＩ制御部１５ｂは、図７（ａ）及び（ｂ）に示すように、グラフィックユーザーインターフェースにおいて、ソーシャルネットワークサーバー３から配信されたＷｅｂページ２００の背景に、コンテンツ配信サーバー４から配信されたＷｅｂページ３００を配置され、重なり合うように表示させる。これにより、図８〜図１０に示すように、Ｗｅｂページ２００には、非表示領域２０２を有しているため、非表示領域２０２と重なる表示領域３０２が表示可能となり、表示領域３０２に、サムネイル画像３０７、加工処理前コンテンツ、又は加工後のコンテンツ等が表示される。
【００６７】
そして、入力インターフェース１４により、表示領域３０２に表示された加工前コンテンツや加工後コンテンツに対する操作を行うことで、その操作信号はコンテンツ配信サーバー４へ送出される。一方、Ｗｅｂページ２００の表示領域２０１に対する操作を行うことで、その操作信号は、ソーシャルネットワークサーバー３へ送出される。
【００６８】
（４）ｅコマースサーバー２の構成
ｅコマースサーバー２には、図５に示すように、通信インターフェース２１と、処理実行部２２と、課金データベース２３とを備えている。通信インターフェース２１は、通信ネットワーク５を通じて、各種データをパケットとして送受信するモジュールであり、本実施形態においては、通信インターフェース２１を介して、商品の購入手続の操作信号を受信する。課金データベース２３は、各ユーザーの識別子に関連付けられた、氏名、住所、クレジットカードの情報等を蓄積した記憶装置である。
【００６９】
処理実行部２２は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、商品の購入手続の操作信号を取得すると、コンテンツに関連する商品の購入手続を受け付ける。
ここで、処理実行部２２は、例えば、ｅコマースサーバー２が電子コンテンツの配信サーバーである場合には、選択された電子コンテンツを配信する。また、例えば、ｅコマースサーバー２が選択したコンテンツの書籍等を販売するサーバーである場合には、選択された書籍等についての配送処理を実行する。
【００７０】
（コンテンツ配信システムの運用方法）
以上の構成を有するコンテンツ配信システムを動作させることで、本実施形態に係るコンテンツ配信システムの運用方法を実施することができる。図１１は、本実施形態に係るコンテンツ配信システムの動作を示すシーケンス図である。
【００７１】
先ず、ユーザー端末１ａから接続要求があると（Ｓ１０１）、ソーシャルネットワークサーバー３は、接続要求に係る操作信号を受信し（Ｓ２０１）、例えば、ＩＤ又はパスワード等から認証を行う。認証が正しくない場合には、ＳＮＳに参加していない会員以外の不特定ユーザーとして、アクセス制限を行う。この不特定ユーザーには、そのアクセス制限に応じて、一般的な情報のみが提供され、閲覧に際しては、ＳＮＳの会員限定で公開されている情報にはアクセスできないこととなる。
【００７２】
一方、認証が正しい場合には、各ユーザーの情報データに基づいて、ユーザーに固有のＷｅｂページを構築するとともに、構築された各ユーザーのＷｅｂページを、ユーザーの公開範囲設定、及びＷｅｂページに対してアクセスするユーザーのアクセス権限に応じて配信する（Ｓ２０２）。
【００７３】
この際、Ｗｅｂページ２００では、非表示領域２０２を有さないＷｅｂページとなっており、ユーザー端末１ａがこのＷｅｂページ２００を受信すると、ＧＵＩ制御部１５ｂによって、図６に示すように、ユーザーに固有のＷｅｂページ２００が表示される（Ｓ１０２）。
【００７４】
その後、コンテンツ配信サーバー４の画像データ又は動画データ等のコンテンツを利用するために、ユーザー操作により、加工前コンテンツのサムネイル画像が要求された場合には（Ｓ１０３）、その操作信号は、コンテンツ配信サーバー４へ送信される。
【００７５】
コンテンツ配信サーバー４の通信インターフェース４１は、このコンテンツ一覧の要求する操作信号を受信すると（Ｓ３０１）、コンテンツ配信サーバー４では、例えば、検索画面を表示させる。これ対して、ユーザーが検索のキーワードを入力すると、キーワードに関連のあるサムネイル画像を、Ｗｅｂページ３００の表示領域３０２に配置させて送信する（Ｓ３０２）。この際、ソーシャルネットワークサーバー３のＷｅｂデータ配信部３６は、非表示領域２０２を有するＷｅｂページ２００をユーザー端末１ａに配信する。
ユーザー端末１ａでは、ＧＵＩ制御部１５ｂにより、Ｗｅｂページ２００及びＷｅｂページ３００を重ね合わせ、Ｗｅｂページ２００上に、サムネイル画像を表示させる（Ｓ１０４）。
【００７６】
その後、ユーザー操作によって、サムネイル画像の中から、加工前コンテンツが選択されると（Ｓ１０５）、その操作信号は、コンテンツ配信サーバー４へ送出され、文字情報取得部４８では、ユーザーが選択した情報を取得して（Ｓ３０３）、選択された加工前コンテンツと加工前コンテンツに関連付けられた加工処理情報とを、素材データベース４６から読み出して、文字情報の入力を受け付けるＷｅｂページ３００を生成して、ユーザー端末１ａへ配信する（Ｓ３０４）。
【００７７】
ユーザー端末１ａでは、このＷｅｂページ３００を受信して（Ｓ１０６）、図１０に示すように、画面上に、加工前コンテンツのイラスト３０４と、付加範囲情報であるふきだし部分３０５、文字情報の入力を受け付けるコメント欄３０６とを表示させる。その後、ユーザー操作によって、コメント欄３０６に文字情報が入力されると、その文字情報は文字情報取得部４８へ送信される（Ｓ１０７）。
【００７８】
文字情報取得部４８は、入力された文字情報を取得して（Ｓ３０５）、コンテンツ生成部４７に入力する。コンテンツ生成部４７は、選択された付加範囲情報情報に基づいて、ふきだし部分３０５を決定し、コメント欄３０６に入力された文字情報を、台詞又は文章に差し替えるように付加して加工後コンテンツを生成する。そして、生成した加工後のコンテンツをコンテンツ提示部４５に送出する。
【００７９】
その後、コンテンツ提示部４５は、加工後コンテンツを表示領域３０２に配置させて、このＷｅｂページ３００をユーザー端末１ａへ配信する（Ｓ３０６）。ユーザー端末１ａでは、ＧＵＩ制御部により、Ｗｅｂページ２００とＷｅｂページ３００とを重ね合わせて、図８に示すように、Ｗｅｂページ２００上に加工後コンテンツを表示させる（Ｓ１０８）。
ここで、例えば、友人として登録されている他のユーザーが、ユーザー端末１ｂを用いて接続要求を行うと（Ｓ４０１）、その接続情報はソーシャルネットワークサーバー３へ送出される。
【００８０】
ソーシャルネットワークサーバー３のＷｅｂデータ配信部３６では、接続要求を受信して（Ｓ２０３）、認証処理の後、ユーザー端末１ｂのユーザー情報データに基づいて、ユーザー固有のＷｅｂページ２００を配信するとともに（Ｓ２０４）、コンテンツ配信サーバー４へユーザー端末１ａが生成した加工後コンテンツの配信要求を行う（Ｓ２０５）。
【００８１】
配信要求を受けたコンテンツ提示部４５は、加工後コンテンツを表示領域３０２に配置させたＷｅｂページ３００をユーザー端末１ｂへ配信する（Ｓ３０７）。ユーザー端末１ｂのＧＵＩ制御部１５ｂは、Ｗｅｂページ２００及びＷｅｂページ３００を受信し（Ｓ４０３）、Ｗｅｂページ２００及びＷｅｂページ３００を重ね合わせて、Ｗｅｂページ２００上に加工後コンテンツを表示させる（Ｓ４０４）。
【００８２】
（コンテンツ配信プログラムの記録媒体）
なお、上述したコンテンツ配信プログラムは、汎用コンピューターで読み取り可能な記録媒体に記録することができる。具体的には、フレキシブルディスクやカセットテープ等の磁気記録媒体、若しくはＣＤ−ＲＯＭやＤＶＤ−ＲＯＭ等の光ディスクの他、ＲＡＭカードなど、種々の記録媒体に記録することができる。
そして、このコンテンツ配信プログラムを記録したコンピューター読み取り可能な記録媒体によれば、汎用のコンピューターやサーバーなどの専用コンピューターを用いて、上述した効果を奏するシステムや方法を実施することが可能となるとともに、プログラムの保存、運搬及びインストールを容易に行うことができる。
【００８３】
（作用・効果）
このような本実施形態によれば、ソーサシャルネットワークシステム等におけるユーザー固有のＷｅｂページ上において、コミックの一コマや映画・ドラマのワンシーンなどの画像データ又は動画データに文字情報を付加して提示することができるので、例えば、コミックの有名な場面に、ユーザー独自の台詞や解説を添えて、著作物が本来的に有する世界観や、それに対する独自の解釈を背景としたメッセージを他のユーザーに対して通知させることができる。その結果、メッセージの表現力や訴求力を向上させることができ、コミュニケーション手法の多様化を図ることができる。
一方、画像データ又は動画データは、加工処理情報に基づいて、著作物の改変を制御しているので、著作物を改変できる範囲を自由に設定でき、著者の意向を反映させた著作物の二次的利用を実現することができる。
【００８４】
このように、本実施形態によれば、著者の意向と、著作物を利用するユーザーの利便性の両方を容易に調整し得るサービスを提供できる。
特に、本実施形態において、この加工処理情報は、ふきだし部分３０５の位置を定めた付加範囲情報を含んでおり、この付加範囲情報によって、ふきだし部分３０５にユーザー独自の台詞や解説を、オリジナルの台詞又は文章と差し替えるので、著作物が本来的に有する世界観を改変しすぎることなく、本来的に有する世界観に対する独自の解釈を背景としたメッセージを送ることができる。これにより、著者の意向と、著作物を利用するユーザーの利便性の両方を容易に調整し得る。
【００８５】
また、本実施形態によれば、コンテンツ提示部４５は、ユーザー操作に基づく要求に応じて、展示したコンテンツにおける、他の部分又は全部を提示するので、利用者側にとっては、表示されたコミックの一コマや映画・ドラマのワンシーンの続きを閲覧したい場合に即時に閲覧することができる。一方、著作者側としては、自己の著作物を知らないユーザーに対して広めることができる。
【００８６】
さらに、本実施形態によれば、コンテンツ提示部４５では、展示されたコンテンツに関連する商品の購入手続を受け付けるので、著作物である画像データ及び動画データを、電子商取引を用いて購入可能となり、商品購入の利便性を向上させることができる。
【００８７】
（変更例）
以上、本発明の実施の形態を説明したが、具体的な構成は前述した実施の形態に限られるものではなく、本発明の要旨を逸脱しない範囲における変更や追加があっても本発明に含まれる。
例えば、上述した本実施形態では、加工するコンテンツを、画像データ及び動画データとしたが、本発明は、これに限定するものではなく、例えば、ユーザーがアップロードした写真に効果を付けたり、ふきだしを付けて、台詞を編集するものであってもよい。
【００８８】
また、上述した本実施形態では、画像データ及び動画データの１コマをＷｅｂページ上に表示させたが、本発明は、これに限定するものではなく、例えば、画像データ及び動画データから、複数のシーンを組み合わせて編集したものであってもよい。
さらに、上述した本実施形態では、自己が入力した文字情報を付加して加工後コンテンツとして投稿してＷｅｂページ上で表示させたが、この際、オリジナルシーンを添付することもでき、この場合にはＷｅｂページ上に、加工後コンテンツと、オリジナルの台詞が表示された加工前コンテンツとを並べて表示させてもよい。
【００８９】
また、コンテンツ配信サーバー４では、顧客の利用履歴を取得して、コンテンツの内、どの１コマがどのようなライフシーンで利用されているのかを集計して統計データを算出し、ランキングとして表示させてもよい。この際、例えば、使用されたコンテンツに対する反響数、いいねボタンの押下数などを含めて、ランキングを算出してもよい。
さらに、コンテンツ配信サーバー４では、例えば、使用するコンテンツに関連するキーワードに応じて、Ｗｅｂページ上に関連性のある広告が表示されるようにしてもよい。
【符号の説明】
【００９０】
１（１ａ〜１ｃ）…ユーザー端末
２…ｅコマースサーバー
３…ソーシャルネットワークサーバー
４…コンテンツ配信サーバー
５…通信ネットワーク
６…無線基地局
７…中継装置
１１…通信インターフェース
１２…データ取得部
１４…入力インターフェース
１５…アプリケーション実行部
１５ａ…ブラウザ部
１５ｂ…ＧＵＩ制御部
１６…出力インターフェース
１７…表示部
１８…ウインドウ
２１…通信インターフェース
２２…処理実行部
２３…課金データベース
３１…通信インターフェース
３３…認証部
３４…顧客データベース
３５…Ｗｅｂデータベース
３６…Ｗｅｂデータ配信部
４１…通信インターフェース
４２…制御部
４３…顧客データベース
４４…認証部
４５…コンテンツ提示部
４６…素材データベース
４７…コンテンツ生成部
４８…文字情報取得部
２００…Ｗｅｂページ
２０１…表示領域
２０２…非表示領域
２１０…項目
２１１…アイコン
２１２…項目
３００…Ｗｅｂページ
３０２…表示領域
３０４…イラスト
３０５…ふきだし部分
３０６…コメント欄
３０７…サムネイル画像
【図１】
0005953066.tif 000002
【図２】
0005953066.tif 000003
【図３】
0005953066.tif 000004
【図４】
0005953066.tif 000005
【図５】
0005953066.tif 000006
【図６】
0005953066.tif 000007
【図７】
0005953066.tif 000008
【図８】
0005953066.tif 000009
【図９】
0005953066.tif 000010
【図１０】
0005953066.tif 000011
【図１１】
0005953066.tif 000012